(57)【要約】【課題】内燃機関において、簡単な構成で運転状態に応じて容易に燃料噴射角度を変更可能として燃焼状態の改善を図る。【解決手段】燃焼室１６に燃料を噴射するインジェクタ３３を設け、このインジェクタ３３の噴射口３３ａの近傍に、上下方向に対向して燃料噴射方向に広角する上下のテーパ面４１ａ，４１ｂを有するスペーサ４１を配置し、アクチュエータ４２により上下に移動可能とし、エンジンの運転状態に応じてこのアクチュエータ４２によりスペーサ４１を上方または下方に移動し、上下のテーパ面４１ａ，４１ｂをインジェクタ３３の噴射口３３ａに対して接近離間することで、このテーパ面４１ａ，４１ｂのコアンダ効果により燃料噴射方向を変更可能とする。【選択図】        図１
2007285204.tif 000002
【特許請求の範囲】
【請求項１】
燃焼室と、該燃焼室に連通する吸気ポート及び排気ポートと、前記吸気ポート及び前記排気ポートを開閉する吸気弁及び排気弁と、前記燃焼室に燃料を噴射する燃料噴射弁と、前記燃焼室内の混合気に点火する点火プラグと、前記燃料噴射弁の噴射口の近傍に位置して上下方向に対向して広角する上下のテーパ面を有するスペーサと、内燃機関の運転状態に応じて前記スペーサのテーパ面を前記燃料噴射弁の噴射口に対して接近離間する移動手段とを具えたことを特徴とする内燃機関。
【請求項２】
請求項１に記載の内燃機関において、前記スペーサは、前記燃料噴射弁の噴射口の周囲を覆って筒形状をなすスペーサ本体と、該スペーサ本体の上下の内面に設けられて前記上下のテーパ面を有する上下の突出部を有することを特徴とする内燃機関。
【請求項３】
請求項１または２に記載の内燃機関において、前記上下のテーパ面は、燃料噴射方向に対して湾曲した形状をなすことを特徴とする内燃機関。
【請求項４】
請求項１から３のいずれか一つに記載の内燃機関において、前記燃料噴射弁の噴射口は、水平線に対して所定角度下方に傾斜して指向しており、前記移動手段は、前記内燃機関の低中回転領域で、前記スペーサを中立位置から上テーパ面が前記噴射口に接近するように移動することを特徴とする内燃機関。
【請求項５】
請求項１から３のいずれか一つに記載の内燃機関において、前記燃料噴射弁の噴射口は、水平線に対して所定角度下方に傾斜して指向しており、前記移動手段は、前記内燃機関の高回転領域で、前記スペーサを中立位置に移動することを特徴とする内燃機関。
【請求項６】
請求項１から３のいずれか一つに記載の内燃機関において、前記燃料噴射弁の噴射口は、水平線に対して所定角度下方に傾斜して指向しており、前記移動手段は、前記内燃機関の超高回転領域で前記スペーサの上下のテーパ面が前記噴射口に交互に接近離反するように連続して移動することを特徴とする内燃機関。
【請求項７】
請求項１から３のいずれか一つに記載の内燃機関において、前記燃料噴射弁の噴射口は、水平線に対して所定角度下方に傾斜して指向しており、前記移動手段は、前記内燃機関の始動時に前記スペーサを中立位置から下テーパ面が前記噴射口に接近するように移動することを特徴とする内燃機関。
【発明の詳細な説明】
【技術分野】
【０００１】
本発明は、所定量の燃料を燃焼室に噴射可能とした内燃機関に関するものである。
【背景技術】
【０００２】
燃料を吸気ポートではなく、燃焼室に直接噴射する筒内噴射式内燃機関が従来から知られている。この筒内噴射式内燃機関では、吸気弁の開放時に、空気が吸気ポートから燃焼室に吸入されてピストンにより圧縮され、この高圧空気に対して内燃機関から燃料が直接噴射される。すると、燃焼室にて、高圧空気と霧状の燃料とが混合し、この混合気が点火プラグに導かれて着火して爆発することで駆動力を得ることができ、排気弁の開放時に、燃焼後の排気ガスが吸気ポートから排出される。
【０００３】
そして、この筒内噴射式内燃機関は、吸気行程中に燃焼室に燃料を噴射して均一な混合気を形成する均質燃焼が実現可能となっている。即ち、ピストンの吸気行程における吸気弁の開放時に、吸気ポートの空気を燃焼室に吸入すると共に、この吸入空気に対して燃料噴射を行うことで、燃焼室全体に分散した混合気を形成し、この混合気が点火プラグにより着火され、この着火混合気が火種となって燃焼室全体に分散した混合気が燃焼、均質燃焼が実現される。
【０００４】
ところで、上述した筒内噴射式内燃機関では、燃焼室内に吸気のタンブル流を形成し、このタンブル流に対して燃料を噴射し、その混合気を点火プラグに導いて着火するようにしている。しかし、内燃機関の運転状態、特に、内燃機関の回転速度（回転数）によりタンブル流の形成状態が異なり、吸気と燃料噴霧が効果的に混合せず、良好な燃焼状態を確保することができない場合がある。
【０００５】
そこで、内燃機関の低回転域から高回転域にわたって燃料の混合状態を良好にするものとして、例えば、下記特許文献１に記載されたものがある。この特許文献１に記載された燃料噴射装置は、ハウジング内に可動円柱体を回転自在に支持し、この可動円柱体内に燃料噴射弁を設けると共に、可動円柱体をアクチュエータにより回転可能に構成し、エンジン回転速度に応じてアクチュエータにより可動円柱体と共に燃料噴射弁を回転することで、その燃料噴射方向を変更可能としている。
【０００６】
【特許文献１】特開平０５−０５２１６２号公報
【発明の開示】
【発明が解決しようとする課題】
【０００７】
上述した従来の燃料噴射装置にあっては、燃料噴射弁を可動円柱体内に装着し、この可動円柱体をハウジング内に回転自在に支持しており、構造が複雑で装置が大型化すると共に、製造コストが増加してしまうという問題がある。また、燃料噴射弁には、燃料配管が連結されたり、信号配線が接続されており、回転する燃料噴射弁に対して燃料配管を連結したり、信号配線を接続することは困難であり、脱落や断線の可能性があり、十分な信頼性を確保することができない。
【０００８】
本発明は、このような問題を解決するためのものであって、簡単な構成で運転状態に応じて容易に燃料噴射角度を変更可能として燃焼状態の改善を図った内燃機関を提供することを目的とする。
【課題を解決するための手段】
【０００９】
上述した課題を解決し、目的を達成するために、本発明の内燃機関は、燃焼室と、該燃焼室に連通する吸気ポート及び排気ポートと、前記吸気ポート及び前記排気ポートを開閉する吸気弁及び排気弁と、前記燃焼室に燃料を噴射する燃料噴射弁と、前記燃焼室内の混合気に点火する点火プラグと、前記燃料噴射弁の噴射口の近傍に位置して上下方向に対向して広角する上下のテーパ面を有するスペーサと、内燃機関の運転状態に応じて前記スペーサのテーパ面を前記燃料噴射弁の噴射口に対して接近離間する移動手段とを具えたことを特徴とするものである。
【００１０】
本発明の内燃機関では、前記スペーサは、前記燃料噴射弁の噴射口の周囲を覆って筒形状をなすスペーサ本体と、該スペーサ本体の上下の内面に設けられて前記上下のテーパ面を有する上下の突出部を有することを特徴としている。
【００１１】
本発明の内燃機関では、前記上下のテーパ面は、燃料噴射方向に対して湾曲した形状をなすことを特徴としている。
【００１２】
本発明の内燃機関では、前記燃料噴射弁の噴射口は、水平線に対して所定角度下方に傾斜して指向しており、前記移動手段は、前記内燃機関の低中回転領域で、前記スペーサを中立位置から上テーパ面が前記噴射口に接近するように移動することを特徴としている。
【００１３】
本発明の内燃機関では、前記燃料噴射弁の噴射口は、水平線に対して所定角度下方に傾斜して指向しており、前記移動手段は、前記内燃機関の高回転領域で、前記スペーサを中立位置に移動することを特徴としている。
【００１４】
本発明の内燃機関では、前記燃料噴射弁の噴射口は、水平線に対して所定角度下方に傾斜して指向しており、前記移動手段は、前記内燃機関の超高回転領域で前記スペーサの上下のテーパ面が前記噴射口に交互に接近離反するように連続して移動することを特徴としている。
【００１５】
本発明の内燃機関では、前記燃料噴射弁の噴射口は、水平線に対して所定角度下方に傾斜して指向しており、前記移動手段は、前記内燃機関の始動時に前記スペーサを中立位置から下テーパ面が前記噴射口に接近するように移動することを特徴としている。
【発明の効果】
【００１６】
本発明の内燃機関によれば、燃焼室に燃料を噴射する燃料噴射弁を設け、この燃料噴射弁の噴射口の近傍に、上下方向に対向して広角する上下のテーパ面を有するスペーサを配置し、移動手段により内燃機関の運転状態に応じてスペーサのテーパ面を燃料噴射弁の噴射口に対して接近離間可能としたので、内燃機関の運転状態、例えば、エンジン回転数に応じて移動手段によりスペーサを移動することとなり、スペーサの上テーパ面を噴射口に接近すると、噴射された燃料は上方のテーパ面のコアンダ効果により上方に向かってその噴射方向が変更される一方、スペーサの下テーパ面を噴射口に接近すると、噴射された燃料は、下方のテーパ面のコアンダ効果により下方に向かってその噴射方向が変更されることとなり、内燃機関の運転状態に応じて燃料と空気との良好な混合状態を確保することができ、簡単な構成で運転状態に応じて容易に燃料噴射角度を変更することができ、燃焼状態を大幅に改善することができる。
【発明を実施するための最良の形態】
【００１７】
以下に、本発明に係る内燃機関の実施例を図面に基づいて詳細に説明する。なお、この実施例により本発明が限定されるものではない。
【実施例１】
【００１８】
図１は、本発明の実施例１に係る内燃機関を表す燃焼室の断面図、図２は、実施例１の内燃機関を表す概略断面図、図３は、実施例１の内燃機関における低中回転領域の燃料噴射状態を表す概略断面図、図４は、実施例１の内燃機関における高回転領域の燃料噴射状態を表す概略断面図、図５は、実施例１の内燃機関における超高回転領域の燃料噴射状態を表す概略断面図、図６は、実施例１の内燃機関における始動時の燃料噴射状態を表す概略断面図である。
【００１９】
本実施例の内燃機関が適用されたエンジンにおいて、図２に示すように、シリンダヘッド１１の下部にシリンダブロック１２が組み付けられ、複数の図示しない締結ボルトにより締結されている。シリンダブロック１２には複数のシリンダボア１３が形成され、各シリンダボア１３にピストン１４が摺動自在に嵌合している。そして、シリンダブロック１２の下部に図示しないクランクシャフトが回転自在に支持されており、各ピストン１４はコネクティングロッド１５を介してこのクランクシャフトに連結されている。
【００２０】
燃焼室１６は、シリンダブロック１２に形成されたシリンダボア１３と、シリンダヘッド１１の下面と、ピストン１４の頂面により構成されており、天井部（シリンダヘッド１１の下面）の中央部が高くなるように傾斜したペントルーフ形状をなしている。そして、この燃焼室１６の上部、つまり、シリンダヘッド１１の下面に吸気ポート１７及び排気ポート１８が対向して形成されており、この吸気ポート１７及び排気ポート１８に対して吸気弁１９及び排気弁２０がそれぞれ位置している。この吸気弁１９及び排気弁２０は、シリンダヘッド１１に固定された各ステムガイド２１，２２により軸方向に沿って移動自在に支持されると共に、各バルブスプリング２３，２４により吸気ポート１７及び排気ポート１８を閉止する方向に付勢支持されている。
【００２１】
また、吸気弁１９及び排気弁２０は、上端部にローラロッカアーム２５，２６の一端部が連結され、このローラロッカアーム２５，２６の他端部はシリンダヘッド１１に固定されたラッシュアジャスタ２７，２８に連結されており、吸気カムシャフト２９の吸気カム３０及び排気カムシャフト３１の排気カム３２が各ローラロッカアーム２５，２６に接触している。
【００２２】
従って、内燃機関に同期して吸気カムシャフト２９及び排気カムシャフト３１が回転すると、吸気カム３０及び排気カム３２がローラロッカアーム２５，２６を作動させ、各吸気弁１９及び排気弁２０が所定のタイミングで上下移動することで、吸気ポート１７及び排気ポート１８を開閉し、吸気ポート１７と燃焼室１６、燃焼室１６と排気ポート１８とをそれぞれ連通することができる。
【００２３】
燃焼室１６の側部、つまり、吸気ポート１７側のシリンダヘッド１１の下面には、この燃焼室１６に直接燃料を噴射するインジェクタ（燃料噴射弁）３３が装着されている。また、燃焼室１６の天井部中央、つまり、各吸気ポート１７及び各排気ポート１８の間のシリンダヘッド１１の下面には、点火プラグ３４が装着されている。そして、車両には、電子制御ユニット（ＥＣＵ）が搭載されており、このＥＣＵは、インジェクタ３３の燃料噴射量や噴射時期、点火プラグ３４による点火時期などを制御可能となっており、検出した吸入空気量、エンジン回転数、スロットル開度（アクセル開度）などのエンジン運転状態に基づいて燃料噴射量、噴射時期、点火時期などを決定している。
【００２４】
そして、本実施例では、インジェクタ３３の噴射口３３ａの近傍に、エンジン運転状態に基づいて燃料の噴射方向を変更するスペーサ４１が設けられている。
【００２５】
インジェクタ３３は、図１に示すように、先端部に噴射口３３ａを有し、この噴射口３３ａから水平線Ｈに対して所定の燃料噴射角度θ1で設定された燃料噴霧Ｑ1を燃焼室１６に噴射することができる。上述したスペーサ４１は、このインジェクタ３３の噴射口３３ａの近傍に位置し、上下方向に対向して燃料噴射方向に広角する上下のテーパ面４１ａ，４１ｂを有している。そして、移動手段としてのアクチュエータ４２によりこのスペーサ４１を上方または下方に移動することで、各テーパ面４１ａ，４１ｂを噴射口３３ａに対して接近離間し、この各テーパ面４１ａ，４１ｂのコアンダ効果により燃料の噴射方向を上方または下方に変更することができる。
【００２６】
つまり、スペーサ４１は、インジェクタ３３の噴射口３３ａの周囲を覆って筒形状をなすスペーサ本体４３と、このスペーサ本体４３の上下の内面に一体に設けられた突出部４４，４５とから構成されている。そして、この突出部４４，４５は、燃料噴射方向に対して湾曲した形状をなし、この表面に上述した上下のテーパ面４１ａ，４１ｂが形成されている。
【００２７】
従って、アクチュエータ４２を収縮駆動すると、スペーサ４１が下方に移動して上テーパ面４１ａが噴射口３３ａに接近し、噴射された燃料を上テーパ面４１ａのコアンダ効果により上方に向かってその噴射方向を変更することができる。一方、アクチュエータ４２を伸張駆動すると、スペーサ４１が上方に移動して下テーパ面４１ｂが噴射口３３ａに接近し、噴射された燃料を下テーパ面４１ｂのコアンダ効果により下方に向かってその噴射方向を変更することができる。
【００２８】
本実施例では、スペーサ４１がインジェクタ３３の噴射口３３ａに対して中立位置にあるとき、所定の燃料噴射角度θ1で燃料噴霧Ｑ1を燃焼室１６に噴射することができる。そして、スペーサ４１を下方に移動することで、この燃料噴射角度θ1に対して、上方に噴射角度θ2だけ変更された燃料噴霧Ｑ2を燃焼室１６に噴射することができ、一方、スペーサ４１を上方に移動することで、燃料噴射角度θ1に対して、下方に噴射角度θ3だけ変更された燃料噴霧Ｑ3を燃焼室１６に噴射することができる。
【００２９】
また、ＥＣＵは、エンジン運転状態、例えば、エンジン回転数（エンジン回転速度）に基づいてアクチュエータ４２を駆動制御してスペーサ４１を移動することで、エンジン回転数に応じて最適な燃料の噴射角度を設定することができる。
【００３０】
ここで、スペーサ４１の移動によってインジェクタ３３からの燃料噴射角度を最適に制御する具体例について詳細に説明する。
【００３１】
エンジンの低中回転領域（例えば、３０００ｒｐｍ以下）では、図３に示すように、アクチュエータ４２を収縮駆動し、スペーサ４１を下方に移動して上テーパ面４１ａを噴射口３３ａに接近することで、噴射された燃料を上テーパ面４１ａのコアンダ効果により上方に誘導する。即ち、インジェクタ３３の燃料噴霧を、初期値の燃料噴射角度θ1に対して、上方に噴射角度θ2だけ変更された燃料噴霧Ｑ2として燃焼室１６に噴射する。このエンジンの低中回転領域では、吸気弁１９の開放時に吸気ポート１７から燃焼室１６に吸気が吸入され、この燃焼室１６内にタンブル流Ｔが生成される。そのため、インジェクタ３３の燃料噴霧Ｑ2を上方に変更し、水平線Ｈからの噴射角度を小さくすることで、燃料噴霧Ｑ2をタンブル流Ｔに沿わせることができ、空気と燃料との混合を促進して均質性を向上することができる。
【００３２】
一方、エンジンの高回転領域（例えば、３０００ｒｐｍ〜５０００ｒｐｍ）では、図４に示すように、アクチュエータ４２を伸張駆動し、スペーサ４１を中立位置に移動することで、噴射された燃料を各テーパ面４１ａ，４１ｂのコアンダ効果を利用せずに噴射する。即ち、インジェクタ３３の燃料噴霧を、初期値の燃料噴射角度θ1として燃焼室１６に噴射する。このエンジンの高回転領域では、吸気弁１９の開放時に吸気ポート１７から燃焼室１６に吸気が吸入され、この燃焼室１６内にタンブル流Ｔが生成されるが、ピストン１４が高速移動しているために吸気・圧縮行程の実時間が短く、タンブル流Ｔに沿わせて燃料を噴射してもその混合気が燃焼室１６内を十分に回りきらない。そのため、インジェクタ３３の燃料噴霧Ｑ1を中立位置とすることで、燃料噴霧Ｑ1をタンブル流Ｔに衝突させることができ、空気と燃料との混合を促進して均質性を向上することができる。
【００３３】
そして、エンジンの超高回転領域（例えば、５０００ｒｐｍ以上）では、図５に示すように、アクチュエータ４２の収縮と伸張を繰り返し連続して駆動し、スペーサ４１を上下に繰り返し移動して各テーパ面４１ａ，４１ｂを噴射口３３ａに交互に接近離反することで、噴射された燃料を各テーパ面４１ａ，４１ｂのコアンダ効果により上下に誘導する。即ち、インジェクタ３３の燃料噴霧を、上方に噴射角度θ2だけ変更された燃料噴霧Ｑ2と下方に噴射角度θ3だけ変更された燃料噴霧Ｑ3との間に変更しながら燃焼室１６に噴射する。このエンジンの超高回転領域では、ピストン１４が超高速移動しているために吸気・圧縮行程の実時間が更に短く、噴射された燃料が十分に拡散することができない。そのため、インジェクタ３３の燃料噴霧Ｑ2、Ｑ3を上下に変更して多方向に噴射することができ、燃料噴霧の拡散を促進して均質性を向上することができる。
【００３４】
また、エンジンの始動時では、図６に示すように、アクチュエータ４２を伸張駆動し、スペーサ４１を上方に移動して下テーパ面４１ｂを噴射口３３ａに接近することで、噴射された燃料を下テーパ面４１ｂのコアンダ効果により下方に誘導する。即ち、インジェクタ３３の燃料噴霧を、初期値の燃料噴射角度θ1に対して、下方に噴射角度θ3だけ変更された燃料噴霧Ｑ3として燃焼室１６に噴射する。このエンジンの始動時には、点火時期を大幅に遅角することで、排気ガスの温度を高めて触媒の暖機性を高めてＮＯｘやＨＣなどの有害物質の発生を低減しているものの、着火性が低下するために燃料噴霧を点火プラグ３４の近傍に集中させる必要がある。そのため、インジェクタ３３の燃料噴霧Ｑ3を下方に変更し、水平線Ｈからの噴射角度を大きくすることで、燃料噴霧Ｑ3をピストン１４のキャビティ１４ａに向け、この燃料噴霧Ｑ3をキャビティ１４ａの形状により点火プラグ３４の近傍に集中させることができ、始動性を向上することができる。
【００３５】
このように実施例１の内燃機関にあっては、燃焼室１６に燃料を噴射するインジェクタ３３を設け、このインジェクタ３３の噴射口３３ａの近傍に、上下方向に対向して燃料噴射方向に広角する上下のテーパ面４１ａ，４１ｂを有するスペーサ４１を配置し、アクチュエータ４２により上下に移動可能とし、エンジンの運転状態に応じてこのアクチュエータ４２によりスペーサ４１を上方または下方に移動し、上下のテーパ面４１ａ，４１ｂをインジェクタ３３の噴射口３３ａに対して接近離間することで、このテーパ面４１ａ，４１ｂのコアンダ効果により燃料噴射方向を変更可能としている。
【００３６】
従って、エンジンの運転状態、例えば、エンジン回転数に応じてアクチュエータ４２によりスペーサ４１を上下に移動することとなり、スペーサ４１の上テーパ面４１ａを噴射口３３ａに接近すると、噴射された燃料は上方のテーパ面４１ａのコアンダ効果により上方に向かってその噴射方向が変更される一方、スペーサ４１の下テーパ面４１ｂを噴射口３３ａに接近すると、噴射された燃料は、下方のテーパ面４１ｂのコアンダ効果により下方に向かってその噴射方向が変更されることとなり、エンジンの運転状態に応じて燃料と空気との良好な混合状態を確保することができ、簡単な構成で運転状態に応じて容易に燃料噴射角度を変更することができ、燃焼状態を大幅に改善することができる。
【００３７】
また、本実施例では、スペーサ４１を、インジェクタ３３の噴射口３３ａの周囲を覆って筒形状をなすスペーサ本体４３と、このスペーサ本体４３の上下の内面に設けられて上下のテーパ面４１ａ，４１ｂを有する上下の突出部４４，４５とから構成しており、簡単な構成で容易に燃料噴射角度を変更することができる。また、上下のテーパ面４１ａ，４１ｂを、燃料噴射方向に対して湾曲した形状とすることで、簡単な構成で確実に燃料噴射角度を変更することができる。
【００３８】
そして、本実施例の内燃機関にあっては、エンジンの低中回転領域では、スペーサ４１を下方に移動して上テーパ面４１ａを噴射口３３ａに接近することで、この上テーパ面４１ａのコアンダ効果によりインジェクタ３３の燃料噴霧Ｑ2を上方に変更して燃焼室１６に噴射している。従って、燃料噴霧Ｑ2を吸気のタンブル流Ｔに沿わせて空気と燃料との混合を促進し、均質性を向上することができる。また、エンジンの高回転領域では、スペーサ４１を中立位置に移動することで、各テーパ面４１ａ，４１ｂのコアンダ効果を利用せずに、インジェクタ３３の燃料噴霧Ｑ1を燃焼室１６に噴射している。従って、燃料噴霧Ｑ1をタンブル流Ｔに衝突させて空気と燃料との混合を促進して均質性を向上することができる。更に、エンジンの超高回転領域では、スペーサ４１を上下に繰り返し移動して各テーパ面４１ａ，４１ｂを噴射口３３ａに交互に接近離反することで、各テーパ面４１ａ，４１ｂのコアンダ効果によりインジェクタ３３の燃料噴霧Ｑ2、Ｑ3を燃焼室１６における多方向に噴射して燃料噴霧の拡散を促進し、均質性を向上することができる。
【００３９】
そして、エンジンの始動時には、スペーサ４１を上方に移動して下テーパ面４１ｂを噴射口３３ａに接近することで、この下テーパ面４１ｂのコアンダ効果によりインジェクタ３３の燃料噴霧Ｑ3を下方に変更して燃焼室１６に噴射している。従って、点火時期を大幅に遅角しても、燃料噴霧Ｑ3をピストン１４のキャビティ１４ａに向けることで、この燃料噴霧Ｑ3がキャビティ１４ａにより点火プラグ３４の近傍に集中させることができ、始動性を向上することができる。
【実施例２】
【００４０】
図７は、本発明の実施例２に係る内燃機関におけるスペーサを表す概略図、図８は、実施例２の内燃機関における燃料噴射角度を上方に変更する作用説明図、図９は、実施例２の内燃機関における燃料噴射角度を下方に変更する作用説明図である。なお、前述した実施例で説明したものと同様の機能を有する部材には同一の符号を付して重複する説明は省略する。
【００４１】
実施例２の内燃機関において、図７に示すように、インジェクタ３３の噴射口３３ａの近傍には、エンジン運転状態に基づいて燃料の噴射方向を変更するスペーサ５１が設けられている。
【００４２】
インジェクタ３３は、先端部に噴射口３３ａを有し、この噴射口３３ａから所定の燃料噴射角度に設定された燃料噴霧Ｑ1を燃焼室１６に噴射することができる。上述したスペーサ５１は、このインジェクタ３３の噴射口３３ａの近傍に位置し、上下方向に対向し、且つ、燃料噴射方向にずれてこの燃料噴射方向に広角する上下のテーパ面５１ａ，５１ｂを有している。そして、移動手段としてのアクチュエータ５２によりこのスペーサ５１を前方または後方に移動することで、各テーパ面５１ａ，５１ｂを噴射口３３ａに対して接近離間し、この各テーパ面５１ａ，５１ｂのコアンダ効果により燃料の噴射方向を上方または下方に変更することができる。
【００４３】
つまり、スペーサ５１は、インジェクタ３３の噴射口３３ａの周囲を覆って筒形状をなすスペーサ本体５３と、このスペーサ本体５３の上下の内面に一体に設けられた突出部５４，５５とから構成されている。そして、この突出部５４，５５は、燃料噴射方向の前後にずれ、この燃料噴射方向に対して湾曲した形状をなしており、この表面に上述した上下のテーパ面５１ａ，５１ｂが形成されている。
【００４４】
従って、アクチュエータ５２を収縮駆動し、スペーサ５１を後退位置に移動すると、上下のテーパ面５１ａ，５１ｂが噴射口３３ａから離間し、噴射された燃料を上下のテーパ面５１ａ，５１ｂのコアンダ効果を利用することなく、その噴射方向を水平位置（燃料噴霧Ｑ1）に変更することができる。そして、図８に示すように、アクチュエータ５２を半ストローク伸張駆動し、スペーサ５１を中間位置に移動すると、上テーパ面５１ａが噴射口３３ａに接近し、噴射された燃料を上テーパ面５１ａのコアンダ効果によりその噴射方向を上方位置（燃料噴霧Ｑ2）に変更することができる。また、図９に示すように、アクチュエータ５２を全ストローク伸張駆動し、スペーサ５１を前進位置に移動すると、下テーパ面５１ｂが噴射口３３ａに接近し、噴射された燃料を下テーパ面５１ｂのコアンダ効果によりその噴射方向を下方位置（燃料噴霧Ｑ3）に変更することができる。
【００４５】
また、ＥＣＵは、エンジン運転状態、例えば、エンジン回転数（エンジン回転速度）に基づいてアクチュエータ５２を駆動制御してスペーサ５１を移動することで、エンジン回転数に応じて最適な燃料の噴射角度を設定することができる。即ち、前述した実施例１と同様に、エンジンの低中回転領域では、スペーサ５１を移動して上テーパ面５１ａを噴射口３３ａに接近し、噴射された燃料を上方位置に向ける。一方、エンジンの高回転領域では、スペーサ５１を移動して各テーパ面５１ａ，５１ｂを噴射口３３ａから離間し、噴射された燃料を水平位置に向ける。そして、エンジンの超高回転領域では、スペーサ５１を前後に繰り返し移動して各テーパ面５１ａ，５１ｂを噴射口３３ａに交互に接近離反し、噴射された燃料を上下に連続して向ける。更に、エンジンの始動時では、スペーサ５１を移動して下テーパ面５１ｂを噴射口３３ａに接近し、噴射された燃料を下方位置に向ける。
【００４６】
このように実施例２の内燃機関にあっては、燃焼室１６に燃料を噴射するインジェクタ３３を設け、このインジェクタ３３の噴射口３３ａの近傍に、上下方向に対向して燃料噴射方向に広角する上下のテーパ面５１ａ，５１ｂを有するスペーサ５１を配置し、アクチュエータ５２により前後に移動可能とし、エンジンの運転状態に応じてこのアクチュエータ５２によりスペーサ５１を前後に移動し、上下のテーパ面５１ａ，５１ｂをインジェクタ３３の噴射口３３ａに対して接近離間することで、このテーパ面５１ａ，５１ｂのコアンダ効果により燃料噴射方向を変更可能としている。
【００４７】
従って、エンジンの運転状態、例えば、エンジン回転数に応じてアクチュエータ５２によりスペーサ５１を前後に移動することとなり、スペーサ５１の上テーパ面５１ａを噴射口３３ａに接近すると、噴射された燃料は上方のテーパ面５１ａのコアンダ効果により上方に向かってその噴射方向が変更される一方、スペーサ５１の下テーパ面５１ｂを噴射口３３ａに接近すると、噴射された燃料は、下方のテーパ面５１ｂのコアンダ効果により下方に向かってその噴射方向が変更されることとなり、エンジンの運転状態に応じて燃料と空気との良好な混合状態を確保することができ、簡単な構成で運転状態に応じて容易に燃料噴射角度を変更することができ、燃焼状態を大幅に改善することができる。
【００４８】
また、本実施例では、スペーサ５１を、インジェクタ３３の噴射口３３ａの周囲を覆って筒形状をなすスペーサ本体５３と、このスペーサ５３本体の上下の内面に前後にずれて設けられて上下のテーパ面５１ａ，５１ｂを有する上下の突出部５４，５５とから構成しており、簡単な構成で容易に燃料噴射角度を変更することができる。この場合、アクチュエータ５２によりスペーサ５１を前後に移動して燃料の噴射方向を変更することで、アクチュエータ５２の配置位置をシリンダヘッドに容易に確保することができる。
【００４９】
なお、上述した各実施例では、スペーサ４１，５１を上下方向または前後方向に移動することで、テーパ面４１ａ，４１ｂ，５１ａ，５１ｂをインジェクタ３３の噴射口３３ａに対して接近離反自在としたが、この移動方法に限定されるものではなく、例えば、周方向に回転することで、テーパ面をインジェクタの噴射口に対して接近離反自在としてもよい。また、スペーサ４１，５１を移動する移動手段として、アクチュエータ４２，５２に限らず、油圧シリンダや駆動モータなどを適用してもよい。更に、インジェクタ３３をシリンダヘッド１１の吸気ポート１７側に設けたが、燃焼室１６の天井中央部や排気ポート１８側に設けてもよい。
【産業上の利用可能性】
【００５０】
以上のように、本発明に係る内燃機関は、運転状態に応じてスペーサを移動してそのテーパ面のコアンダ効果により燃料噴射方向を変更可能としたものであり、いずれの種類の内燃機関に用いても好適である。
【図面の簡単な説明】
【００５１】
【図１】本発明の実施例１に係る内燃機関を表す燃焼室の断面図である。
【図２】実施例１の内燃機関を表す概略断面図である。
【図３】実施例１の内燃機関における低中回転領域の燃料噴射状態を表す概略断面図である。
【図４】実施例１の内燃機関における高回転領域の燃料噴射状態を表す概略断面図である。
【図５】実施例１の内燃機関における超高回転領域の燃料噴射状態を表す概略断面図である。
【図６】実施例１の内燃機関における始動時の燃料噴射状態を表す概略断面図である。
【図７】本発明の実施例２に係る内燃機関におけるスペーサを表す概略図である。
【図８】実施例２の内燃機関における燃料噴射角度を上方に変更する作用説明図である。
【図９】実施例２の内燃機関における燃料噴射角度を下方に変更する作用説明図である。
【符号の説明】
【００５２】
１６  燃焼室
１７  吸気ポート
１８  排気ポート
３３  インジェクタ（燃料噴射弁）
３３ａ  噴射口
３４  点火プラグ
４１，５１  スペーサ
４１ａ，５１ａ  上テーパ面
４１ｂ，５１ｂ  下テーパ面
４２，５２  アクチュエータ（移動手段）
４３，５３  スペーサ本体
４４，４５，５４，５５  突出部
【図１】
2007285204.tif 000003
【図２】
2007285204.tif 000004
【図３】
2007285204.tif 000005
【図４】
2007285204.tif 000006
【図５】
2007285204.tif 000007
【図６】
2007285204.tif 000008
【図７】
2007285204.tif 000009
【図８】
2007285204.tif 000010
【図９】
2007285204.tif 000011